(57)【要約】      （修正有）【課題】携帯電話使用者が自己の位置情報を第三者に知られることに関して、プライバシー保持の必要性の有無に対応して必要な情報を適宜取得するシステムを構築する。【解決手段】システムは携帯電話１と情報発信局２との間に成立するシステムであって、携帯電話１の使用者はＧＰＳシステム３を起動させることにより自己の位置情報を、エリア設定手段４によりこの位置を中心としてた所定の範囲の情報を提供すよう情報発信局２に出力する。情報発信局２はこれに対応して携帯電話使用者の要望に対応した情報をデータベース９から抽出し携帯電話１に送信する。一方プライバシー上位置情報を知らせたくない場合にはスイッチ３ＡによりＧＰＳシステム３をＯＦＦとし、短距離通信システム５により、各エリア毎に出力されている情報を受信する。【選択図】図１
2010252016.tif 000002
【特許請求の範囲】
【請求項１】
携帯電話使用者と情報発信局との間に構成されるシステムであって、携帯電話にはインターネット等の情報提供手段を介して情報を受信する手段に加えて、ＧＰＳの位置情報を付加した通信システムであるＧＰＳシステム、及び短距離通信システムのうち少なくとも一つの通信システムを実行する手段が設けられ、情報発信局はＧＰＳシステムを介して情報を提供する手段と、短距離通信システムを介して情報を提供する手段が設けられ、携帯電話使用者は設定した通信システムを用いて情報発信局が提供する情報を取得するよう構成したことを特徴とする携帯電話を用いた情報提供システム。
【請求項２】
携帯電話にはＧＰＳシステムと短距離通信システムの両方が設けられ、ＧＰＳシステムにはその機能をＯＮ、ＯＦＦするスイッチ手段が設けられていることを特徴とする請求項１記載の携帯電話を用いた情報提供システム。
【請求項３】
ＧＰＳシステムには、携帯電話所有者の位置情報を情報発信局に送信する際に、当該位置情報を中心として情報を取得したい範囲を設定するエリア設定手段が設けられていることを特徴とする請求項１又は２記載の携帯電話を用いた情報提供システム。
【請求項４】
ＧＰＳシステム及び短距離通信システムに対しては携帯電話使用者が取得したい情報を選択設定する取得情報選択手段が設けられ、情報発信局は設定された情報を携帯電話使用者に送信するよう構成したことを特徴とする請求項１乃至３のいずれかに記載の携帯電話を用いた情報提供システム。
【請求項５】
情報発信局には携帯電話使用者に関する加入者情報がデータベースとして蓄積され、この加入者情報に基づいて携帯電話使用者に対応してた情報を抽出し、携帯電話使用者が所望する情報を提供する際に、当該情報に付加して携帯電話使用者に対して加入者情報に基づいて抽出した情報を提供するよう構成したことを特徴とする請求項１乃至４の何れかに記載の携帯電話を用いた情報提供システム。
【請求項６】
情報発信局には時刻情報を提供する手段が設けられ、この時刻情報に基づいて携帯電話使用者が利用可能な情報を抽出し、携帯電話使用者が所望する情報を提供する際に、当該情報に付加して携帯電話使用者に対して当該時刻情報に対応する情報を提供するよう構成したことを特徴とする請求項１乃至４の何れかに記載の携帯電話を用いた情報提供システム。
【請求項７】
携帯電話使用者の携帯電話には情報発信局が提供した情報の中から特定の情報を選択したことを当該情報発信局に連絡する手段が設けられ、情報発信局はこの情報に基づいて、店舗等選択された情報の発信源に対して課金する手段を有していることを特徴とする請求項１乃至６の何れかに記載の携帯電話を用いた情報提供システム。
【発明の詳細な説明】
【技術分野】
【０００１】
本発明は携帯電話等の受信端末を介して店舗情報を始めとする各種情報を受信端末の使用者の求めに応じて配信するよう構成した情報提供システムに関する。
【背景技術】
【０００２】
現在、携帯電話として我々が日々利用している装置は、電話機能の外、インターネットとの接続、或いはテレビジョン放送の視聴、ＧＰＳ機能等各種の情報授受の機能が付加された総合的かつ多機能的な端末となっている。以下「携帯電話」の語はこのような多機能な通信端末を指す語として使用する。
【０００３】
このような技術的背景から、主として携帯電話の通信機能を用いて携帯電話使用者に対して店舗情報等の各種情報を提供するシステムが構築されかつ一部が実施されている。
下記特許文献はこのような携帯電話を用いて例えば店舗情報等の情報を提供するシステムを提案している。
【特許文献１】特開２００２−２３６７６９
【特許文献２】特開２００３−２２９９７６
【特許文献３】特開２００７−１４７４６８
【発明の開示】
【発明が解決しようとする課題】
【０００４】
前記特許文献のうち、特許文献１は携帯電話所有者側から発信される位置情報により当該位置を中心とした地域の店舗情報を提供するシステムであり、特許文献２は携帯電話に広告情報を送信するシステムであって、広告を受信した者に対しては携帯電話料金の割引等の恩典を与えることにより、携帯電話利用者に対して広告の受信を積極的に行なわせるようにしたものである。
【０００５】
更に、特許文献３は携帯電話に付加されたＧＰＳ機能を用いて携帯電話所有者の現在位置をより正確に情報発信者に知らせて、当該地域の店舗情報等をきめ細かく提供するよう構成されたシステムである。
【０００６】
更にまた、上記特許文献記載以外のシステムで例えばブルートゥースと称される近距離無線通信システムを用いて常時広告等の情報が一方的に発信され、携帯電話等の端末使用者が交信範囲に入るとこのこの情報を受信するシステムがある。
【０００７】
上記各種の情報提供システムにおいて、特許文献１及び３のシステムは携帯電話使用者側が積極的に自己の位置情報を発信し、この位置情報に対応してきめ細かく各種情報を提供することができる。特に特許文献３のＧＰＳ機能による位置情報は携帯電話使用者の移動と対応して連続的に送信することが可能であるため、移動地域に対応した情報をリアルタイムで提供することが可能であって情報取得の観点からは非常に便利なものであるということができる。然し、携帯電話使用者がプライバシー上自己の所在地を知られたくない場合には携帯電話使用者の位置情報を前提とするこのシステムは全く意味がないものとなる。
【０００８】
また近距離通信システムは一方的に発信された情報を受信するだけであるため、携帯電話使用者が所望する情報を受信する機会が少なく、情報提供のシステムとしては粗い情報しか受信できないという問題がある。
【課題を解決するための手段】
【０００９】
本発明は上記従来技術に鑑み構成されたものであり、携帯電話とこの携帯電話に情報を提供する情報提供局との間に成立するシステムであって、携帯電話等の端末にはインターネット等の情報提供手段から情報を取得する従来の手段に加えて、携帯電話使用者の位置情報を発信する手段と、この発信手段を稼働若しくは停止させる手段と、短距離通信システムの受信手段とを有し、情報発信局は位置情報を発信した携帯電話に対して携帯電話使用者が所望する情報を送信する手段と、短距離通信システムにおける各発信エリアに対して所定の情報を発信する手段とを有し、携帯電話使用者は上記各手段の何れかを選択して所望の情報を取得するよう構成したことを特徴とする携帯電話を用いた情報提供システムである。また、提供された情報を取得しかつこれを利用した携帯電話使用者とこの情報を提供した者、店舗等の情報を発信した者の三者がこれらの情報の授受によりそれぞれ経済的利益をあげられるよう構成した情報提供システムである。
【発明の効果】
【００１０】
携帯電話使用者は、所望の情報を取得したい場合、取得手段を適宜選択することにより、例えば自己の位置情報を送信してもかわまない場合には位置情報を送信或いはＧＰＳにより連続的に送信することにより当該位置における所望の情報をきめ細かく受けることができる。
【００１１】
また、プライバシー上自己の位置情報を送信したくない場合には短距離通信システムを用いて、情報を受動的に受信することにより、第三者に自己の位置情報を知らせることなく情報を取得することができる。
【００１２】
携帯電話使用者が提供された情報を取得しかつこの情報に基づいて当該情報の対象となる店舗等の情報対象を利用した際には当該情報を提供した情報発信者も情報対象に所定額を課金する等して所定の利益を得ることが可能となる。
【実施例１】
【００１３】
以下図面を用いて本発明を説明する。
図１において、符号１は携帯電話を、また符号２はこの携帯電話１に対して各種情報を発信する情報発信局を示す。この情報発信局２はそれ自体独立して設置することももとより可能であるが、携帯電話の通話システムを管理する電話会社の一部門として構成することも当然可能である。
【００１４】
先ず携帯電話１の構成について説明すると、携帯電話１は通話機能の外前述の如く各種の機能を有しているが、図には本発明の構成に必要な要素のみが示されている。
符号３はＧＰＳシステムである。このＧＰＳシステム３はＧＰＳによる携帯電話所有者の位置確認、当該位置の発信、当該位置に対応して送信される店舗情報等の各種情報を受信するシステムを含めた通信システムを指す。
【００１５】
符号４のエリア設定手段は、前記ＧＰＳシステム３を介して自己が取得したい情報のエリアを設定するものである。例えばＧＰＳシステム３により検知された現在地を中心として半径１００ｍ以内の情報、３００ｍ以内の情報等と、取得したい情報の範囲を設定するための手段である。具体的な設定方法としては、ＧＰＳシステム３が位置情報送信モードとなっている場合には、テンキーを用いて１００、或いは３００として設定する等である。符号３ＡはこのＧＰＳシステム３の作動をＯＮ、ＯＦＦするスイッチである。
【００１６】
５の短距離通信システムは、ブルートゥース等の短距離通信システムを用いて発信された情報を受信するシステムである。ブルートゥースは２．４ＧＨｚの周波数帯を用いて情報の授受を行なうが、勿論ブルートゥースに限定する趣旨ではなく、別の周波数帯を利用した通信システムであってもよい。なお図示されていないが、この短距離通信システム５に対しても前記ＧＰＳシステム３に接続するスイッチ３Ａと同様なスイッチを接続し、この短距離通信システム５の動作をＯＮ、ＯＦＦさせるよう構成してもよい。
【００１７】
次に、符号６で示される取得情報選択手段は、携帯電話所有者が取得したい情報を選択する手段であって、ＧＰＳシステム３及び短距離通信システム５に接続している。例えば取得したい情報が飲食店、アパレル商品店等の情報等の店舗情報であったり、映画、演劇、音楽等の上演の情報であったり、これらの上演の情報も含めた各種イベントの情報であったりした場合に、これら取得したい情報を選択し、この選択にもとづいて情報発信局２から所望の情報を受信するためのものである。
【００１８】
上記取得情報の設定方法としては、前記ＧＰＳシステム３が起動している時のエリア設定と同様にテンキーを用いて実施することが可能である。つまり、ＧＰＳシステム３におけるエリア指定は半径５０ｍが最少設定であるとすると、この５０以下の二桁の数字を用いて取得情報を設定するように構成する。例えばテンキーを００と押すことにより取得情報選択手段６が立ち上がり、この状態で１０は飲食店情報、１０Ａは飲食店のうちアルコールを提供する店、１１はアパレル店情報、１６は映画上演、１７はその他のイベント情報等とする。またテンキーを００と設定した時点で、携帯電話１の画面に「１０：飲食店情報」、「１１：アパレル店情報」・・・のように表示すれば取得したい情報を容易に設定することが可能となる。
【００１９】
一方情報発信局２の構成は以下のとおりである。符号７はＧＰＳ情報取得手段であって、携帯電話１のＧＰＳシステム３から発信された情報を取得する。具体的にはＧＰＳシステム３から発信された携帯電話１の位置情報、エリア設定手段４により設定された情報取得の地域的範囲、取得情報選択手段６により設定された携帯電話使用者が所望する情報の種類等、携帯電話１が発信した情報を受信し、かつこの受信データを情報発信手段８に出力する。
【００２０】
情報発信手段８は入力された情報に基づいてデータベース９から所定の情報を抽出し、この抽出した情報を携帯電話１に送信する。この情報発信手段８は情報発信局２の中心的な機能を担っている。情報の発信は例えば、携帯電話１からの情報が携帯電話１の現在位置を中心として半径２００ｍ以内の飲食店であり、かつ提供料理はイタリア料理であること等の要求に対応して店舗情報データベース９Ａから所定の情報を抽出し、携帯電話１に送信する。この場合携帯電話１の所有者の年齢、性別等を加入者情報データ９Ｃとしてデータベース９に記録してあれば、この記録に基づいて付加情報を提供するようにしてもよい。例えば携帯電話１の所有者が２０代の女性であれば合わせてアパレル店の情報を提供する等である。また５０代の男性であれば、アルコールを中心とした飲食店の情報も提供する等である。
【００２１】
１０は時刻情報であって、情報の問い合わせ時刻に対応して付加情報を提供する等に利用可能である。例えば５０代の男性から午後４時に喫茶店の情報要請があった場合、商談等で喫茶店を利用している可能性も少なくないので、５時には開店している居酒屋等の情報も提供して商談の流れで居酒屋等も利用可能にしておく等である。
【００２２】
符号１１は短距離通信用の配信手段である。この配信手段１１は予め設定された個々の場所（位置）を中心としてエリア毎の情報１２を一方的に発信する。この状態で携帯電話１がこの情報１２の受信圏内に入ると、この短距離通信システム５が同情報１２を受信する。このエリア毎の情報１２も例えば発信点から半径１００ｍ以内の店舗情報を発信するなど、発信地域に対応した情報を発信する。なおこの情報は携帯電話１の所有者からの要請によるものではないので、情報の利用率は要請による場合に比較して一般的に低いものと成らざるを得ない。このため時刻情報１０を利用して、午前中であれば、昼食用の弁当販売店やランチを提供する飲食店等の情報を多くしたり、４時以降であればアルコールを提供する飲食店の情報を多くする等、店舗情報を差し替えて利用率を高めるようにすることが望ましい。
【００２３】
図２は図１に示すシステムの実施状況の一例を示す。具体的には情報発信局２が携帯電話１からＧＰＳ情報を取得した場合の対応の一例を示す。
先ず携帯電話１からＧＰＳシステム３を介して出力された携帯電話１の使用者の位置情報が受信されたならば、当該携帯電話１から発信されたデータの中に、携帯電話１の使用者が特定の情報を選択的に取得したいか否かの情報の有無を確認する（ＳＡ１）。
【００２４】
取得したい情報が設定されている場合にはデータベース９から、携帯電話１の使用者が所望する情報を抽出して設定する（ＳＡ２）。取得したい情報が選択されていない場合には、取得した携帯電話１の位置情報に基づき店舗情報、イベント情報等の各種情報を幅広く設定しかつこの状態でステップＳＡ３に進み後述の情報取得エリア設定の有無を確認する。
【００２５】
続いてエリア設定手段４により情報取得したいエリアが設定されているか否かを確認し（ＳＡ３）、エリア設定されている場合にはこのエリアに対応してステップＳＡ２で設定された情報をこの設定したエリアに対応して加除し（ＳＡ４）、最終情報として提供する（ＳＡ５）。またエリア設定されていない場合にはステップＳＡ２で設定した情報を最終情報として携帯電話１に出力する（ＳＡ５）
【００２６】
一方、ステップＳＡ１で取得情報の種類に限定が無い場合であって、かつステップＳＡ３においてエリア設定がなされている場合には幅広い情報をこのエリア情報で限定し、最終情報として提供する（ＳＡ５）。更にステップ１で取得情報の選択がされていなく、かつステップＳＡ３でエリア情報が設定されていない場合には、ＧＰＳ情報で取得された携帯電話１の位置情報に対応して幅広い情報が最終情報として提供される（ＳＡ５）。
【００２７】
図３は短距離通信システムにおける情報の設定、及び設定された情報の受信状態の一例を示す。
図３（Ａ）は短距離通信システムにおける情報の設定状態を示す。先ず短距離通信システムにおける交信範囲（情報受信範囲）を設定し（ＳＢ１）、可能な限り情報受信不能エリアを少なくするようにして情報発信点をそれぞれ設定する。情報発信点は予め委託した店舗、自動販売機等が適当である。このようにして設定した情報発信点を中心とした交信範囲に所定の情報を提供する（ＳＢ２）。
【００２８】
図３（Ｂ）は短距離通信システムにおける携帯電話１の使用者の情報の取得状態を示す。取得情報選択手段６により短距離通信システム５における取得情報に条件を付けた場合（ＳＣ１）には、交信範囲において出力される情報から所望の情報を選択して受信する（ＳＣ２）。またステップＳＣ１においてこのような取得情報を選択していない場合には短距離通信システム５は所定ポイントの全情報を受信する（ＳＣ３）。この短距離通信システムにおいては、各情報発信点から発信される情報を一方的に受信するだけであるため、自己の位置情報を送信する場合に比較して受信できる情報の精度は粗くなるが、自己の位置情報を第三者が知ることがなく、プライバシー保持の観点からは有利となる。
【実施例２】
【００２９】
図４は第２の実施例を示す。この実施例では情報を利用した携帯電話所有者及び情報を提供する情報発信局に於ける情報の授受に伴う収益に関するシステムの構成を示す。
以下提供する情報を店舗案内（情報）とし、かつ店舗は飲食店を例に説明する。また携帯電話所有者と情報発信局との情報の授受は、図１におけるＧＰＳシステム３、短距離通信システム６、及び従来から実施されているインターネットを用いたシステム等、全ての情報授受システムを介して実施されるものを包含する。
【００３０】
先ず情報発信局は情報対象である店舗の情報を上記のような各種の通信手段を用いて店舗案内として提供している（ＳＤ１）。携帯電話使用者はこの各種店舗案内の中から気に入った店舗がある時はこの店舗案内中の所定の店舗を特定し（ＳＤ２）、特定した店舗情報を情報発信局に送信する（ＳＤ３）。特定した店舗情報の発信方法としては、画面表示された特定店舗をクリックしたり、個々の店舗に付されているコード等を送信する等の方法が考えられるが、何れにしても簡単な手段で情報発信局に送信にされるよう構成されている。
【００３１】
携帯電話所有者から店舗の特定情報を受けた情報発信局はこの特定された店舗に対して仮課金ａを設定する（ＳＤ４）。この仮課金ａは保証金のような意味を持ち、後述するように最終的な課金ｂよりも高額に設定されている。一方当該店舗を選択しかつ飲食を終えて、飲食代を支払う段階で携帯電話使用者は当該店舗の店員に対して、当該店舗の選択が情報発信局の店舗案内によるものであることを提示する（ＳＤ５）。提示方法としては前記ステップＳＤ３における携帯電話の画面を提示する等の簡単な方法が可能である。
【００３２】
店舗はこの提示があった場合、例えば１０パーセント引き等、予め設定された額を割引する（ＳＤ６）。続いて店舗は情報発信局に対して当該携帯電話使用者から代金の支払いがあった旨の連絡をする（ＳＤ７）。情報発信局は店舗からこの連絡があったならば前記仮課金ａをより小額の課金ｂに設定し（ＳＤ８）、請求を行なう。
【００３３】
ここで、ステップＳＤ４を無くしてステップＳＤ３から直接ステップＳＤ５に移行する方法、つまり仮課金を設定しない方法も当然考えられるが、この場合店舗がステップＳＤ７を無視して情報発信局に連絡しないと情報発信局は携帯電話使用者の支払い事実が把握できず、課金ｂを取得できなくなってしまう。これに対してステップＳＤ４で予め課金ｂより高額の仮課金ａを設定しておけば、店舗はステップＳＤ７で支払いの事実を連絡しないと課金ｂよりも高額の仮課金ａを支払わざるを得ないため店舗がステップＳＤ７を実施することが期待できる。
【産業上の利用可能性】
【００３４】
上記各実例では携帯電話を用いて特に店舗情報など、飲食、ショッピング等主として個人生活において情報を取得する場合を例に説明したが、取得情報を病院、薬剤店が発信する健康情報も付加することににより個人の健康情報も取得するよう構成することも可能である。
【図面の簡単な説明】
【００３５】
【図１】本発明の実施例を示す携帯電話と情報発信局のシステムを示すブロック図である。
【図２】図１に示すシステムにおける情報の提供方法の一例を示すフロー図である。
【図３】短距離通信システムにおける情報の授受を示すフロー図であって、（Ａ）は情報発信局の情報の設定方法の一例を、（Ｂ）は携帯電話における情報の受信方法の一例を示す図である。
【図４】情報の提供及び利用に関する情報発信局、携帯電話使用者、情報源である店舗の３者における手続の手順を示すフロー図である。
【符号の説明】
【００３６】
１  携帯電話
２  情報発信局
３  ＧＰＳシステム
３Ａ  （ＧＰＳシステムＯＮ、ＯＦＦ用）スイッチ
４  エリア設定手段
５  短距離通信システム
６  取得情報選択手段
７  ＧＰＳ情報取得手段
８  情報発信手段
９  データベース
９Ａ  店舗情報データベース
９Ｂ  イベント情報データベース
９Ｃ  加入者情報データベース
１０  時刻情報
１１  （短距離通信用）配信システム
１２  エリア毎の情報
【図１】
2010252016.tif 000003
【図２】
2010252016.tif 000004
【図３】
2010252016.tif 000005
【図４】
2010252016.tif 000006